Podtech/llm-jp-corpus-v4-ja_patent huggingface dataset:
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ａ）コンピューティングデバイスにより、以下のｉ）、ｉｉ）、ｉｉｉ）を含む取引インタフェースを表示するステップ、
ｉ）略軸方向に配列され、価格軸を定める複数の価格レベル、ここで、価格レベルのそれぞれは、取引可能オブジェクトの価格に対応する、
ｉｉ）複数のアスク領域、ここで、アスク領域のそれぞれは、価格軸の価格レベルに対して横方向に配列されるとともに、横方向に配列された価格レベルに対応する価格でのアスク注文の数量を表す数値を含む、
ｉｉｉ）複数のビッド領域、ここで、ビッド領域のそれぞれは、価格軸の価格レベルに対して横方向に配列されるとともに、横方向に配列された価格レベルに対応する価格でのビッド注文の数量を表す数値を含む、
ｂ）コンピューティングデバイスにより、価格軸の第１の価格レベルに関連付けられた第１の起動領域を生成するステップ、ここで、第１の起動領域は、第１の価格レベルに対して横方向に配列される、
ｃ）コンピューティングデバイスにより、第１の起動領域におけるユーザ入力のインスタンスを受信するステップ、ここで、ユーザ入力のインスタンスは、第１の起動領域へのカーソルの移動に応じて受信される、
ｄ）第１の起動領域におけるユーザ入力のインスタンスの受信に応じて、コンピューティングデバイスにより、注文入力フィールドを生成するステップ、ここで、注文入力フィールドは、第１の価格レベルに対応する価格での取引可能オブジェクトの取引の実行を促進するようにユーザから数量を受信するものである、ステップ、
ｅ）コンピューティングデバイスにより、生成された注文入力フィールドを表示するステップ、
を含む、方法。
【請求項２】
コンピューティングデバイスにより、第１の起動領域を表示するステップをさらに含む、請求項１に記載の方法。
【請求項３】
第１の起動領域は、以下の（ａ）、（ｂ）、（ｃ）、（ｄ）のうちの少なくとも１つを横方向に横断するように延びる、
（ａ）複数のアスク領域における第１のアスク領域および複数のビッド領域における第１のビッド領域のうちの１つの一部、
（ｂ）複数のアスク領域における第１のアスク領域および複数のビッド領域における第１のビッド領域のうちの１つの全体、
（ｃ）複数のアスク領域における第１のアスク領域および複数のビッド領域における第１のビッド領域のうちの１つの外側、
（ｄ）取引インタフェースの外側、
（ｅ）第１の価格レベルの一部、
請求項１に記載の方法。
【請求項４】
注文入力フィールドは、以下の（ａ）、（ｂ）、（ｃ）のうちの少なくとも１つである、
（ａ）第１の起動領域内に表示される、
（ｂ）第１の価格レベルの近傍に表示される、
（ｃ）第１の起動領域外に表示される、
請求項１に記載の方法。
【請求項５】
コンピューティングデバイスにより、表示された注文入力フィールドを介してユーザから数量を受信するステップ、
コンピューティングデバイスにより、第１の価格レベルに関連付けられた価格および受信した数量での取引可能オブジェクトに関する注文を送信するステップ、
をさらに含む、請求項１に記載の方法。
【請求項６】
コンピューティングデバイスを備えるシステムであって、
コンピューティングデバイスは、以下のｉ）、ｉｉ）、ｉｉｉ）を含む取引インタフェースを表示し、
ｉ）略軸方向に配列され、価格軸を定める複数の価格レベル、ここで、価格レベルのそれぞれは、取引可能オブジェクトの価格に対応する、
ｉｉ）複数のアスク領域、ここで、アスク領域のそれぞれは、価格軸の価格レベルに対して横方向に配列されるとともに、横方向に配列された価格レベルに対応する価格でのアスク注文の数量を表す数値を含む、
ｉｉｉ）複数のビッド領域、ここで、ビッド領域のそれぞれは、価格軸の価格レベルに対して横方向に配列されるとともに、横方向に配列された価格レベルに対応する価格でのビッド注文の数量を表す数値を含む、
ｂ）コンピューティングデバイスはさらに、価格軸の第１の価格レベルに関連付けられた第１の起動領域を生成し、第１の起動領域は、第１の価格レベルに対して横方向に配列され、
ｃ）コンピューティングデバイスはさらに、第１の起動領域におけるユーザ入力のインスタンスを受信し、ユーザ入力のインスタンスは、第１の起動領域へのカーソルの移動に応じて受信され、
ｄ）コンピューティングデバイスはさらに、第１の起動領域におけるユーザ入力のインスタンスの受信に応じて、注文入力フィールドを生成し、注文入力フィールドは、第１の価格レベルに対応する価格での取引可能オブジェクトの取引の実行を促進するようにユーザから数量を受信するものであり、
ｅ）コンピューティングデバイスはさらに、生成された注文入力フィールドを表示する、
システム。
【請求項７】
コンピューティングデバイスはさらに、第１の起動領域を表示する、請求項６に記載のシステム。
【請求項８】
第１の起動領域は、以下の（ａ）、（ｂ）、（ｃ）、（ｄ）のうちの少なくとも１つを横方向に横断するように延びる、
（ａ）複数のアスク領域における第１のアスク領域および複数のビッド領域における第１のビッド領域のうちの１つの一部、
（ｂ）複数のアスク領域における第１のアスク領域および複数のビッド領域における第１のビッド領域のうちの１つの全体、
（ｃ）複数のアスク領域における第１のアスク領域および複数のビッド領域における第１のビッド領域のうちの１つの外側、
（ｄ）取引インタフェースの外側、
（ｅ）第１の価格レベルの一部、
請求項６に記載のシステム。
【請求項９】
注文入力フィールドは、以下の（ａ）、（ｂ）、（ｃ）のうちの少なくとも１つである、
（ａ）第１の起動領域内に表示される、
（ｂ）第１の価格レベルの近傍に表示される、
（ｃ）第１の起動領域外に表示される、
請求項６に記載のシステム。
【請求項１０】
コンピューティングデバイスはさらに、表示された注文入力フィールドを介してユーザから数量を受信し、
コンピューティングデバイスはさらに、第１の価格レベルに関連付けられた価格および受信した数量での取引可能オブジェクトに関する注文を送信する、請求項６に記載のシステム。
【請求項１１】
請求項１から５のいずれか１つに記載の方法をコンピューティングデバイスに実行させる命令を記憶した、コンピュータ読み取り可能媒体。
【請求項１２】
請求項１から５のいずれか１つに記載の方法をコンピューティングデバイスに実行させるためのコンピュータプログラム。
【手続補正書】
【提出日】平成29年7月13日(2017.7.13)
【手続補正１】
【補正対象書類名】特許請求の範囲
【補正対象項目名】全文
【補正方法】変更
【補正の内容】
【特許請求の範囲】
【請求項１】
−  並列に接続される複数のＬＥＤモジュールを有するＬＥＤストリップであって、各ＬＥＤモジュールが、
−  直列に接続される複数のＬＥＤ部品を有するＬＥＤストリング構造と、
−  前記ＬＥＤストリング構造に並列に接続されるインピーダンスモジュールと
を有する当該ＬＥＤストリップと、
−  前記ＬＥＤストリップに供給するための電源電流を提供する出力部を持つ駆動モジュールと、
−  前記駆動モジュールに結合される第１端子及び前記ＬＥＤストリップに結合される第２端子を持つスイッチと、
−  前記スイッチを制御し、前記スイッチが開放されている場合に、前記ＬＥＤストリップの全インピーダンスを測定する検知モジュールであって、前記ＬＥＤストリップの前記全インピーダンスを表す出力信号を提供する出力部を持つ当該検知モジュールと
を有し、
前記駆動モジュールは、さらに、前記検知モジュールから前記出力信号を受信する入力部を持ち、前記検知モジュールの前記出力部によって提供される前記出力信号の関数として、前記駆動モジュールの前記出力部による前記電源電流を制御する、
発光ダイオード（ＬＥＤ）照明システム。
【請求項２】
前記ＬＥＤ部品は、フレキシブルなスラブの上に配置される、請求項１に記載のＬＥＤ照明システム。
【請求項３】
前記フレキシブルなスラブは、シリコンでできている、請求項２に記載のＬＥＤ照明システム。
【請求項４】
前記インピーダンスモジュールは、少なくとも１つの抵抗要素を有する、請求項１ないし３のいずれか一項に記載のＬＥＤ照明システム。
【請求項５】
前記インピーダンスモジュールは、抵抗、コンデンサ又はインダクタを有するグループのうちの少なくとも１つの要素を有する、請求項１ないし３のいずれか一項に記載のＬＥＤ照明システム。
【請求項６】
ＬＥＤストリップを形成する並列に接続される複数のＬＥＤモジュールを有するＬＥＤ照明システムに電力を供給する方法であって、前記ＬＥＤモジュールの各々は、直列に接続される複数のＬＥＤ部品を有するＬＥＤストリング構造と、前記ＬＥＤストリング構造に並列に接続されるインピーダンスモジュールとを有し、前記ＬＥＤストリップは、所望の長さに切断することができる、ＬＥＤ照明システムに電力を供給する方法であって、
前記方法は、少なくとも、
−  駆動モジュールに結合される第１端子及び前記ＬＥＤストリップに結合される第２端子を有するスイッチが開放されている場合に、前記ＬＥＤストリップの全インピーダンスを測定することを可能とする測定ステップと、
−  前記ＬＥＤストリップの全インピーダンスを表す出力信号を提供するステップと、
−  検知モジュールからの前記出力信号を前記駆動モジュールで受信するステップと、
−  前記測定ステップ中に測定された前記全インピーダンスの関数として、前記ＬＥＤストリップへの電源電流を前記駆動モジュールで制御するステップであって、前記全インピーダンスは、前記所望の長さに依存する当該ステップと
を有する、方法。
【請求項７】
前記測定ステップは、当該測定ステップの間、前記スイッチを開放状態に設定する、請求項６に記載の方法。
【請求項８】
前記制御するステップは、前記ＬＥＤストリップへの前記電源電流を制御するステップの間、前記スイッチを閉じた状態に設定する、請求項６又は７に記載の方法。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
スーパー解像度イメージ処理のためのデジタルカメラシステムにおいて、
イメージの少なくとも一部分を受け取って、前記一部分の少なくとも１つのエッジを平滑化して、補間を通して前記平滑化した一部分の解像度を増加させ、解像度向上イメージを出力するように構成されている解像度向上モジュールと、
前記解像度向上イメージを受け取って、前記解像度向上イメージの少なくとも１つのエッジを抽出して、前記解像度向上イメージの前記抽出した少なくとも１つのエッジを出力するように構成されているエッジ抽出モジュールと、
前記解像度向上イメージと前記抽出した少なくとも１つのエッジとを受け取って、前記抽出した少なくとも１つのエッジまたは前記抽出した少なくとも１つのエッジの派生物を、前記解像度向上イメージと組み合わせるように構成されているエッジ強調モジュールとを具備し、
前記少なくとも１つのエッジは、ピクセル値において急な変化が生じる１組の隣接するピクセルであるデジタルカメラシステム。
【請求項２】
前記解像度向上モジュールは、バイキュービック補間プロセスと一致して、前記受け取ったイメージを補間するようにさらに構成されている請求項１記載のデジタルカメラシステム。
【請求項３】
前記エッジ抽出モジュールは、第１の強度を有する第１のエッジ保持フィルタと第２の強度を有する第２のエッジ保持フィルタとを通して、前記解像度向上イメージをフィルタするようにさらに構成されている請求項１記載のデジタルカメラシステム。
【請求項４】
前記第１のエッジ保持フィルタ強度は構成可能であり、前記エッジ抽出モジュールは、前記第１のエッジ保持フィルタの強度を減少させて、イメージ詳細のレベルを増加させる、または、前記第１のエッジ保持フィルタの強度を増加させて、前記イメージ詳細のレベルを減少させるようにさらに構成されている請求項３記載のデジタルカメラシステム。
【請求項５】
前記第１の強度は前記第２の強度より弱く、前記エッジ抽出モジュールは、前記第２のエッジ保持フィルタを通してフィルタされた前記解像度向上イメージを、前記第１のエッジ保持フィルタを通してフィルタされた前記解像度向上イメージから減算するようにさらに構成されている前記請求項３記載のデジタルカメラシステム。
【請求項６】
前記エッジ強調モジュールは、前記抽出した少なくとも１つのエッジを前記解像度向上イメージに追加するようにさらに構成されている請求項５記載のデジタルカメラシステム。
【請求項７】
前記解像度向上モジュールは、前記受け取ったイメージを複数の小区分に分割するようにさらに構成されている請求項１記載のデジタルカメラシステム。
【請求項８】
前記解像度向上モジュールは、前記受け取ったイメージの前記小区分のそれぞれの解像度を増加させるようにさらに構成され、前記エッジ抽出モジュールは、前記解像度向上イメージのそれぞれの小区分の少なくとも１つのエッジを抽出するようにさらに構成されている請求項７記載のデジタルカメラシステム。
【請求項９】
前記デジタルカメラシステムは、ホワイトノイズを前記解像度向上イメージに追加するように構成されているホワイトノイズモジュールをさらに具備する請求項１記載のデジタルカメラシステム。
【請求項１０】
デジタルカメラ中でのスーパー解像度イメージ処理の方法において、
イメージの少なくとも一部分を受け取ることと、
前記一部分の少なくとも１つのエッジを平滑化することと、
補間を通して前記平滑化した一部分の解像度を増加させて、解像度向上イメージを取得することと、
前記解像度向上イメージの少なくとも１つのエッジを抽出することと、
前記抽出した少なくとも１つのエッジまたは前記抽出した少なくとも１つのエッジの派生物を、前記解像度向上イメージと組み合わせることによって、前記解像度向上イメージの少なくとも１つのエッジを強調することとを含み、
前記少なくとも１つのエッジは、ピクセル値において急な変化が生じる１組の隣接するピクセルである方法。
【請求項１１】
前記受け取ったイメージを補間することは、バイキュービック補間プロセスと一致して、前記受け取ったイメージを補間することを含む請求項１０記載の方法。
【請求項１２】
前記少なくとも１つのエッジを抽出することは、第１の強度を有する第１のエッジ保持フィルタと第２の強度を有する第２のエッジ保持フィルタとを通して、前記解像度向上イメージをフィルタすることを含む請求項１０記載の方法。
【請求項１３】
前記第１のエッジ保持フィルタ強度は構成可能であり、前記少なくとも１つのエッジを抽出することは、前記第１のエッジ保持フィルタの強度を増加させて、イメージ詳細のレベルを減少させること、または、前記第１のエッジ保持フィルタの強度を減少させて、イメージ詳細のレベルを増加させることを含む請求項１２記載の方法。
【請求項１４】
前記第１の強度は前記第２の強度より弱く、前記少なくとも１つのエッジを抽出することは、前記第２のエッジ保持フィルタを通してフィルタされた前記解像度向上イメージを、前記第１のエッジ保持フィルタを通してフィルタされた前記解像度向上イメージから減算することをさらに含む前記請求項１２記載の方法。
【請求項１５】
前記少なくとも１つのエッジを強調することは、前記抽出した少なくとも１つのエッジを前記解像度向上イメージに追加することをさらに含む請求項１４記載の方法。
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
コンピュータにおいて複数のトランザクションを用いてネットワークオンチップ（ＮｏＣ）インターコネクトのシミュレーションを実行するステップであって、前記複数のトランザクションの各々は１または複数のメッセージのシーケンスを含み、かつ前記１または複数のメッセージの各々は送信元及び送信先エージェントのうちの少なくとも１つに関する表示を含んでいるステップと、
前記１または複数のメッセージのシーケンス内の最初のメッセージ送信先ノードに基づいて前記複数のトランザクションの各々に関する前記１または複数のメッセージのシーケンス内の後続のメッセージを生成するステップと、を含み、
前記後続のメッセージは前記１または複数のメッセージの送信先ノードの各々において生成されることを特徴とする方法。
【請求項２】
請求項１に記載の方法であって、前記１または複数のメッセージの各々は、レート、優先度、値、メッセージデータサイズ、遅延及びインターバルの少なくとも１つに関する表示を含んでおり、メッセージは、前記レート、前記優先度、前記値、前記メッセージデータサイズ、前記遅延及び前記インターバルに基づいて前記シミュレーションを実行するために使用されることを特徴とする方法。
【請求項３】
請求項２に記載の方法であって、前記１または複数のメッセージは、レートに関する表示を含み、前記レートは前記シミュレーションの間のメッセージの各々の選択確率の表示を含んでいることを特徴とする方法。
【請求項４】
請求項１に記載の方法であって、前記エージェントの各々から生ずる前記複数のトランザクションシーケンスの各々に基づいて前記エージェントの各々に関するトレースファイルを生成するステップをさらに含み、前記トレースファイルは前記複数のトランザクションシーケンスの各々内の前記１または複数のメッセージのサブセットを含むことを特徴とする方法。
【請求項５】
請求項１に記載の方法であって、前記シミュレーションに基づいて前記ＮｏＣインターコネクトの性能レポートを生成するステップをさらに含むことを特徴とする方法。
【請求項６】
複数のトランザクションを使用してネットワークオンチップ（ＮｏＣ）インターコネクトのシミュレーションを実行するステップであって、前記複数のトランザクションシーケンスの各々が１または複数のメッセージのシーケンスを含み、前記１または複数のメッセージの各々は送信元及び送信先エージェントのうちの少なくとも１つに関する表示を含むステップと、
前記１または複数のメッセージのシーケンス内の最初のメッセージ送信先ノードに基づいて前記複数のトランザクションの各々に関する前記１または複数のメッセージのシーケンス内の後続のメッセージを生成するステップと、を実行するプロセッサを含むサーバであって、
前記後続のメッセージは、前記１または複数のメッセージの送信先ノードの各々において生成されることを特徴とするサーバ。
【請求項７】
請求項６に記載のサーバであって、前記１または複数のメッセージの各々は、レート、優先度、値、メッセージデータサイズ、遅延及びインターバルの少なくとも１つに関する表示を含んでおり、メッセージは、前記レート、前記優先度、前記値、前記メッセージデータサイズ、前記遅延及び前記インターバルに基づいて前記シミュレーションを実行するために使用されることを特徴とするサーバ。
【請求項８】
請求項７に記載のサーバであって、前記１または複数のメッセージの各々は、レートに関する表示を含み、前記レートは、前記シミュレーションの間のメッセージの各々の選択確率の表示を含んでいることを特徴とするサーバ。
【請求項９】
請求項６に記載のサーバであって、前記プロセッサは、前記エージェントの各々から生ずる前記複数のトランザクションシーケンスの各々に基づいて前記エージェントの各々に関するトレースファイルを生成し、前記トレースファイルは前記複数のトランザクションシーケンスの各々に関する前記１または複数のメッセージの表示を含むことを特徴とするサーバ。
【請求項１０】
請求項６に記載のサーバであって、前記プロセッサは、さらに、前記シミュレーションに基づいて前記ＮｏＣインターコネクトの性能レポートを生成することを特徴とするサーバ。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
ａ）基材を提供する工程と、
ｂ）還元剤を含むポリマー厚膜銅導体組成物を提供する工程と、
ｃ）前記ポリマー厚膜銅導体組成物を前記基材上に適用する工程と、
ｄ）前記ポリマー厚膜銅導体組成物を光焼結に供して前記電気導体を形成する工程とを含む、電気導体を電気回路に形成するための方法。
【請求項２】
還元剤を含むポリマー厚膜銅導体組成物から形成される電気導体を含む電気デバイスであって、前記電気導体が光焼結に供せられている、電気デバイス。
【請求項３】
（ａ）０．２〜１０μｍの平均粒度および０．２〜３．０ｍ2／ｇの範囲の表面積／質量比を有する銅粉末処理粒子４０〜９５重量％と、それが分散された
（ｂ）
（１）フェノキシ、ウレタン、オキサゾリン、またはエステル樹脂と、それらが分散された
（２）二塩基性エステル、グリコールエーテル、アルコールまたはそれらの混合物を含む有機溶剤と、を含む有機媒体４〜３５重量％と、
（ｃ）カルボン酸含有化合物またはホスフェート含有化合物を含む安定剤０．０〜５重量％とを含むポリマー厚膜銅導体組成物であって、
前記重量％が、前記ポリマー厚膜銅導体組成物の全重量に基づいている、ポリマー厚膜銅導体組成物。
【手続補正２】
【補正対象書類名】明細書
【補正対象項目名】００９９
【補正方法】変更
【補正の内容】
【００９９】
処理された導体トレースの防しわ性は、円筒形の２ｋｇの重りを使用して強い折り目を付けることによって測定された。試料は、この試験の結果として測定可能な抵抗を生じなかったが、それは導電トレースの完全性が破損されたことを示す。
なお、本発明は、以下の発明を包含するものである。
１．ａ）基材を提供する工程と、
ｂ）還元剤を含むポリマー厚膜銅導体組成物を提供する工程と、
ｃ）前記ポリマー厚膜銅導体組成物を前記基材上に適用する工程と、
ｄ）前記ポリマー厚膜銅導体組成物を光焼結に供して前記電気導体を形成する工程とを含む、電気導体を電気回路に形成するための方法。
２．前記方法が、前記ポリマー厚膜導体組成物を乾燥させる工程をさらに含み、乾燥させる前記工程が、工程（ｃ）の後で工程（ｄ）の前に実施される、１に記載の方法。
３．前記ポリマー厚膜銅導体組成物が、
（ａ）０．２〜１０μｍの平均粒度および０．２〜３．０ｍ2／ｇの範囲の表面積／質量比を有する銅粉末処理粒子４０〜９５重量％と、それが分散された
（ｂ）
（１）フェノキシ、ウレタン、オキサゾリン、またはエステル樹脂と、それらが分散された
（２）二塩基性エステル、グリコールエーテル、アルコールまたはそれらの混合物を含む有機溶剤と、を含む有機媒体４〜３５重量％と、
（ｃ）カルボン酸含有化合物またはホスフェート含有化合物を含む安定剤０．０〜５重量％とをさらに含み、
前記重量％が、前記ポリマー厚膜銅導体組成物の全重量に基づいている、１に記載の方法。
４．前記銅粉末粒子がフレークの形態であり、前記還元剤が、モノエタノールアミン、ジエタノールアミン、トリエタノールアミンおよびマロン酸からなる群から選択され、前記粘度安定剤が、マロン酸、リンゴ酸、酒石酸、およびトリデシル酸ホスフェートからなる群から選択される、３に記載の方法。
５．還元剤を含むポリマー厚膜銅導体組成物から形成される電気導体を含む電気デバイスであって、前記電気導体が光焼結に供せられている、電気デバイス。
６．前記還元剤が、モノエタノールアミン、ジエタノールアミン、トリエタノールアミンおよびマロン酸からなる群から選択される、５に記載の電気デバイス。
７．前記ポリマー厚膜銅導体組成物が、
（ａ）０．２〜１０μｍの平均粒度および０．２〜３．０ｍ2／ｇの範囲の表面積／質量比を有する銅粉末処理粒子４０〜９５重量％と、それが分散された
（ｂ）
（１）フェノキシ、ウレタン、またはエステル樹脂と、それらが分散された
（２）二塩基性エステル、グリコールエーテル、アルコールまたはそれらの混合物を含む有機溶剤と、を含む有機媒体４〜３５重量％と、
（ｃ）カルボン酸含有化合物またはホスフェート含有化合物を含む安定剤０．０〜５重量％とをさらに含み、
前記重量％が、前記ポリマー厚膜銅導体組成物の全重量に基づいている、５に記載の電気デバイス。
８．前記銅粉末粒子がフレークの形態であり、前記還元剤が、モノエタノールアミン、ジエタノールアミン、トリエタノールアミンおよびマロン酸からなる群から選択され、前記粘度安定剤が、マロン酸、リンゴ酸、および酒石酸からなる群から選択される、７に記載の電気デバイス。
９．（ａ）０．２〜１０μｍの平均粒度および０．２〜３．０ｍ2／ｇの範囲の表面積／質量比を有する銅粉末処理粒子４０〜９５重量％と、それが分散された
（ｂ）
（１）フェノキシ、ウレタン、オキサゾリン、またはエステル樹脂と、それらが分散された
（２）二塩基性エステル、グリコールエーテル、アルコールまたはそれらの混合物を含む有機溶剤と、を含む有機媒体４〜３５重量％と、
（ｃ）カルボン酸含有化合物またはホスフェート含有化合物を含む安定剤０．０〜５重量％とを含むポリマー厚膜銅導体組成物であって、
前記重量％が、前記ポリマー厚膜銅導体組成物の全重量に基づいている、ポリマー厚膜銅導体組成物。
１０．前記銅粉末粒子がフレークの形態であり、前記還元剤が、モノエタノールアミン、ジエタノールアミン、トリエタノールアミンおよびマロン酸からなる群から選択され、前記粘度安定剤が、マロン酸、リンゴ酸、および酒石酸からなる群から選択される、９に記載のポリマー厚膜銅導体組成物。
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
主にシラノールに加水分解されるシリコン原子を含む機能及び第三級アミン機能をもった基を介してカップリングした物質を主に含む、そのシリコン原子を介してジエンエラストマーに結合された、変性ジエンエラストマー。
【請求項２】
エラストマーのカップリングした物質が、式(1)
【化１】
2016527370.tif 000001
(式中、
- 記号Eは、ジエンエラストマーを示し、
- Rは、直鎖又は分枝鎖C1-C10アルキレン、C6-C18アリーレン又はC7-C18アラルキレンの二価の炭化水素ベース基であり、
-  R1及びR2は、同じでも異なってもよく、C1-C18アルキル基を表すか、或いはR1とR2が、これらが結合しているNと、窒素原子及び少なくとも1つの炭素原子を含有する複素環を形成し、
- -OR''は、少なくとも50%が加水分解されるアルコキシ機能を表し、そのアルキル基は1〜5個の炭素原子を含んでいる)
によって表されることを特徴とする、請求項1に記載の変性ジエンエラストマー。
【請求項３】
変性ジエンエラストマーを合成する方法であって、下記の工程:
- 重合開始剤の存在下に少なくとも1つの共役ジエンモノマーをアニオン重合する工程、
- 上記の工程において得られた活性部位をもったリビングジエンエラストマーを、シラノールに加水分解可能である少なくとも1つの機能及び各々がシリコン原子に直接結合される、リビングエラストマーと反応性である2つの機能、更に第三級アミン機能をもった官能基化剤で変性する工程であって、官能基化剤と重合開始剤とのモル比が0.35から0.65までの範囲にある値を有する前記工程、
- 上記の工程において得られた変性エラストマーを加水分解する工程
を含む、前記方法。
【請求項４】
加水分解工程が、塩酸水溶液を添加することによって行われることを特徴とする、請求項3に記載の変性ジエンエラストマーを合成する方法。
【請求項５】
少なくとも1つの補強充填剤及び請求項1又は2に記載の少なくとも1つの変性ジエンエラストマーを含むエラストマーマトリックスをベースとする補強された架橋可能な又は架橋されたゴム組成物。
【請求項６】
請求項5に記載の架橋可能な又は架橋されたゴム組成物を含んでいることを特徴とする、タイヤトレッド。
【請求項７】
請求項6に記載のトレッドを含んでいることを特徴とする、タイヤ。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
ゴム系エラストマー材と、少なくとも１つの炭化水素粘着付与剤と、多官能（メタ）アクリレート化合物の群から選択される架橋添加剤と、ミクロスフェア、膨張性ミクロスフェア、ガス空洞体、ガラスビーズ、ガラスミクロスフェア、グラスバブルズ、及びこれらの任意の組み合わせ若しくは混合物からなる群から選択される充填材料と、を含む感圧接着剤発泡体。
【請求項２】
ａ）前記感圧接着剤発泡体の重量に対して、２０重量％〜８０重量％の前記ゴム系エラストマー材、
ｂ）前記感圧接着剤発泡体の重量に対して、５重量％〜６０重量％の前記炭化水素粘着付与剤、
ｃ）多官能（メタ）アクリレート化合物の群から選択され、前記感圧接着剤発泡体の重量に対して、０．１重量％〜１０重量％の架橋添加剤、
ｄ）前記感圧接着剤発泡体の重量に対して、１重量％〜４０重量％の、任意に用いられるポリイソブチレン可塑剤、
ｅ）前記感圧接着剤発泡体の重量に対して、２重量％〜３０重量％の、前記充填材料、
ｆ）熱安定剤、紫外線安定剤及びプロセス安定剤からなる群から選択され、前記感圧接着剤発泡体の重量に対して、０．０５重量％〜２重量％の、任意に用いられる安定剤、及び、
ｇ）カーボンブラック、アエロジル、及びケイ酸塩からなる群から選択され、前記感圧接着剤発泡体の重量に対して、０．１重量％〜５重量％の、任意に用いられる充填添加剤、
を含む、請求項１に記載の感圧接着剤発泡体。
【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
睡眠中の胃から口内への逆流を減少させる方法に使用するための接着性の二層トローチであって、
前記方法は、就寝前に口内に、睡眠中に溶解して睡眠中の唾液産生を促す成分を放出し、徐々に溶解する接着性の二層トローチを接着し、これによって刺激された唾液の頻繁な嚥下を引き起こし、胃からの逆流を減少させることを含み、
前記トローチは、
ｉ．接着性粉末を含む第１の層と、
ｉｉ．唾液内で徐々に溶解又は浸食される基材及び放出される成分を含んだ第２の層と、を含み、前記成分は口内の唾液産生を促すことを特徴とする、トローチ。
【請求項２】
前記成分は風味分子を含む、請求項１記載のトローチ。
【請求項３】
前記風味分子は甘味ポリオールを含む、請求項２記載のトローチ。
【請求項４】
前記甘味ポリオールは、キシリトール、ソルビトール、マルチトール、エリトリトール及びマンニトールからなる群から選択される、請求項３記載のトローチ。
【請求項５】
前記風味分子は合成甘味剤を含む、請求項２記載のトローチ。
【請求項６】
前記合成甘味剤分子は、スクラロース、ネオテーム、アスパルテーム、アセスルファムカリウム及びサッカリンからなる群から選択される、請求項５記載のトローチ。
【請求項７】
前記風味分子はステビアを含む、請求項２記載のトローチ。
【請求項８】
前記トローチは、二方向の寸法のそれぞれが５ｍｍから１８ｍｍである、請求項１記載のトローチ。
【請求項９】
前記接着性トローチは、臼歯の外側又は臼歯の外側に隣接する歯茎に接着される、請求項１記載のトローチ。
【請求項１０】
（ａ）二層の接着性トローチと、（ｂ）就寝前に口内に１以上の前記トローチを接着させるよう指示する説明書と、を含み、
前記トローチは、
ｉ．接着性粉末を含む第１の層と、
ｉｉ．唾液内で徐々に溶解又は浸食される基材及び放出される成分を含む第２の層と、を含み、前記成分は、口内での唾液の産生を促して、刺激された唾液の頻繁な嚥下を引き起こし、胃からの逆流を減少させる、キット。
【請求項１１】
前記トローチは、二方向の寸法のそれぞれが５ｍｍから１８ｍｍである、請求項１０記載のキット。
【請求項１２】
前記接着性粉末は、少なくとも８０％のアカシアガムを含む、請求項１０記載のキット。
【請求項１３】
前記成分は風味分子を含む、請求項１０記載のキット。
【請求項１４】
前記風味分子は、キシリトール、ソルビトール、マルチトール、エリトリトール及びマンニトールからなる群から選択される甘味ポリオールを含む、請求項１３記載のキット。
【請求項１５】
前記風味分子は、スクラロース、ネオテーム、アスパルテーム、アセスルファムカリウム及びサッカリンからなる群から選択される合成甘味剤を含む、請求項１３記載のキット。
【請求項１６】
前記風味分子はステビアを含む、請求項１３記載のキット。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
皮脂レベルの変化に関連する皮膚状態を治療するための薬剤であって、有効成分として脂肪酸胆汁酸抱合体（ＦＡＢＡＣ）および薬学的に許容される希釈剤、担体または賦形剤を含み、前記ＦＡＢＡＣが式Ｉ：Ｗ−Ｘ−Ｇ（Ｉ）（式中、Ｇは胆汁酸または胆汁酸塩ラジカルを表し、Ｗは６〜２２個の炭素原子を有する１個または２個の脂肪酸ラジカルを表し、Ｘはヘテロ原子または直接Ｃ−ＣもしくはＣ＝Ｃ結合を含む結合メンバーを表す）を有する薬剤。
【請求項２】
前記ＦＡＢＡＣが、各出現においてＷが独立して６〜２２個の炭素原子を有する脂肪酸ラジカルであり、Ｘが独立してヘテロ原子または直接Ｃ−ＣもしくはＣ＝Ｃ結合を含む結合メンバーである２個の脂肪酸ラジカルを含む、請求項１に記載の薬剤。
【請求項３】
前記結合メンバーがＮＨ、Ｐ、Ｓ、Ｏ、または直接Ｃ−ＣもしくはＣ＝Ｃ結合からなる群から選択される、請求項１または２に記載の薬剤。
【請求項４】
前記１種類または２種類の脂肪酸が独立してステアリン酸、ベヘン酸、アラキジル酸、パルミチン酸、アラキドン酸、エイコサペンタエン酸およびオレイン酸からなる群から選択される、請求項１〜３のいずれか１項に記載の薬剤。
【請求項５】
前記胆汁酸がコール酸、ウルソデオキシコール酸、ケノデオキシコール酸、デオキシコール酸、リトコール酸、およびそれらの誘導体からなる群から選択される、請求項１〜４のいずれか１項に記載の薬剤。
【請求項６】
前記ＦＡＢＡＣが、
３β−ステアロイルアミド−７α，１２α−ジヒドロキシ−５β−コラン−２４−オイック酸、
３β−アラキジルアミド−７α，１２α−ジヒドロキシ−５β−コラン−２４−オイック酸、のうちの１つ以上から選択される、請求項１に記載の薬剤。
【請求項７】
前記皮脂レベルの変化に関連する皮膚状態が座瘡、脂漏症、脂漏性皮膚炎、皮脂嚢胞、皮脂腺過形成、ふけおよび毛嚢炎から選択される、請求項１〜６のいずれか１項に記載の薬剤。
【請求項８】
前記座瘡が尋常性座瘡である、請求項７に記載の薬剤。
【請求項９】
前記皮脂レベルの変化に関連する状態が皮脂レベルの増加に関連する皮膚状態である、請求項１〜５のいずれか１項に記載の薬剤。
【請求項１０】
経口投与用に製剤化される、請求項１に記載の薬剤。
【請求項１１】
局所投与用に製剤化される、請求項１に記載の薬剤。
【請求項１２】
前記局所投与用に製剤化された薬剤が水溶液、クリーム、ローション、油中水型または水中油型エマルジョン、複合エマルジョン、シリコーンエマルジョン、マイクロエマルジョン、ナノエマルジョン、ゲル、および共溶媒との水溶液からなる群から選択される形態で製剤化される、請求項１１に記載の薬剤。
【手続補正書】
【提出日】平成29年8月3日(2017.8.3)
【手続補正１】
【補正対象書類名】特許請求の範囲
【補正対象項目名】全文
【補正方法】変更
【補正の内容】
【特許請求の範囲】
【請求項１】
有効成分として脂肪酸胆汁酸抱合体（ＦＡＢＡＣ）および皮膚科学的に許容される希釈剤、担体または賦形剤を含む局所用組成物であって、前記ＦＡＢＡＣが式Ｉ：Ｗ−Ｘ−Ｇ（Ｉ）（式中、Ｇは胆汁酸または胆汁酸塩ラジカルを表し、Ｗは６〜２２個の炭素原子を有する１個または２個の脂肪酸ラジカルを表し、Ｘはヘテロ原子または直接Ｃ−ＣもしくはＣ＝Ｃ結合を含む結合メンバーを表す）を有する局所用組成物。
【請求項２】
前記ＦＡＢＡＣが、各出現においてＷが独立して６〜２２個の炭素原子を有する脂肪酸ラジカルであり、Ｘが独立してヘテロ原子または直接Ｃ−ＣもしくはＣ＝Ｃ結合を含む結合メンバーである２個の脂肪酸ラジカルを含む、請求項１に記載の組成物。
【請求項３】
前記結合メンバーがＮＨ、Ｐ、Ｓ、Ｏ、または直接Ｃ−ＣもしくはＣ＝Ｃ結合からなる群から選択される、請求項１または２に記載の組成物。
【請求項４】
前記１個または２個の脂肪酸ラジカルが独立してステアリン酸、ベヘン酸、アラキジル酸、パルミチン酸、アラキドン酸、エイコサペンタエン酸、オレイン酸からなる群から選択される、請求項１〜３のいずれか１項に記載の組成物。
【請求項５】
前記胆汁酸がコール酸、ウルソデオキシコール酸、ケノデオキシコール酸、デオキシコール酸、リトコール酸、およびそれらの誘導体からなる群から選択される、請求項１〜４のいずれか１項に記載の組成物。
【請求項６】
前記ＦＡＢＡＣが、
３β−ステアロイルアミド−７α，１２α−ジヒドロキシ−５β−コラン−２４−オイック酸、
３β−アラキジルアミド−７α，１２α−ジヒドロキシ−５β−コラン−２４−オイック酸、のうちの１つ以上から選択される、請求項１に記載の組成物。
【請求項７】
老化に関連する皮膚状態の予防または治療に使用するための請求項１〜６のいずれか１項に記載の局所用組成物を含む、薬剤。
【請求項８】
前記老化に関連する皮膚状態が加齢による老化、光老化、皮膚萎縮またはそれらの組み合わせのうちの少なくとも１つに関連している、請求項１に記載の組成物。
【請求項９】
前記皮膚状態が小じわ、しわ、変色、不均一な色素沈着、たるみ、毛穴の拡張、肌荒れ、乾燥肌およびストレッチマーク、不均一なトーン、シミ、皮膚の肥厚または菲薄化ならびにそれらの組み合わせからなる群から選択される、請求項１に記載の組成物。
【請求項１０】
水溶液、クリーム、ローション、油中水型または水中油型エマルジョン、複合エマルジョン、シリコーンエマルジョン、マイクロエマルジョン、ナノエマルジョン、泡、ゲルおよび共溶媒との水溶液からなる群から選択される形態で製剤化される、請求項１に記載の組成物。
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
シラノール基で鎖の中央において官能化され、そのケイ素原子が２つの鎖を結合する単位を主に含む変性ジエンエラストマーであって、変性ジエンエラストマーの鎖末端が鎖末端のモル数に対して少なくとも７０ｍｏｌ％までアミン官能基で官能化されている変性ジエンエラストマー。
【請求項２】
Ｓｉ官能基の全含有量Ｔが０．３６〜０．６０であり（ここで、Ｔは、Ｎs／Ｎp比であり、式中、Ｎsは、1Ｈ核磁気共鳴ＮＭＲで決定され、ｍｍｏｌ／ｋｇで表される、カップリングされたポリマーに結合しているケイ素のモル数を表し、Ｎpは、ポリマー１キログラム当たりのカップリングされる前のポリマーのミリモル数を表す）、
鎖の中央におけるシラノール（ＳｉＯＨ）官能基の含有量Ｔ１が８０〜１００％であり（ここで、Ｔ１は、1Ｈ−29Ｓｉ  ２Ｄ核磁気共鳴ＮＭＲで決定された、ＳｉＯＨ官能基のモル数対ケイ素（Ｓｉ）のモル数に相当する比である）、及び
カップリングされたポリマー鎖の数平均分子量の分布が単峰性であることを特徴とする、請求項１に記載の変性ジエンエラストマー。
【請求項３】
請求項１又は２に記載の変性ジエンエラストマーの調製方法であって、
−（１）アミン官能基を有する重合開始剤の存在下において、少なくとも１種の共役ジエンモノマーをアニオン重合する段階と、
−（２）加水分解後に、シラノール基で鎖の中央において官能化され、そのケイ素原子が２つの鎖を結合する単位を主に含む変性ジエンエラストマーを得るために、前段階で得られた活性部位を有するリビングジエンエラストマーを、エラストマー鎖をカップリングすることができる官能化剤によって変性させる段階であって、官能化剤と重合開始剤の金属のモル比が０．３５〜０．６５の値である段階と
を含むことを特徴とする、調製方法。
【請求項４】
第１の段階が、少なくとも２個の原子上に少なくとも１つの非結合電子対を有するキレート化極性剤の存在下で行われることを特徴とする、請求項３に記載の調製方法。
【請求項５】
ポリマー鎖用の官能化剤が、式ＲＳｉＸ3（式中、Ｒは１〜２０個の炭素原子を有する第一級もしくは第二級のアルキル、シクロアルキル、またはアリール基を表し、Ｘはハロゲン原子、好ましくは塩素または臭素を表す）に相当することを特徴とする、請求項３又は４に記載の方法。
【請求項６】
少なくとも１種の補強充填剤と請求項１又は２に記載の少なくとも１種の変性ジエンエラストマーを含むエラストマーマトリックスとをベースにする強化ゴム組成物。
【請求項７】
請求項６に記載の架橋可能なゴム組成物または架橋されたゴム組成物を含むことを特徴とするタイヤ用のゴムで作製された半完成品。
【請求項８】
請求項７に記載の半完成品を含むことを特徴とするタイヤ。
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
部分加水分解または完全加水分解してシラノールを生成してもよい、第三級アミン官能基を有するアルコキシシラン基で鎖の中央において官能化され、そのケイ素原子が２つの鎖を結合する単位を主に含む変性ジエンエラストマーであって、変性ジエンエラストマーの鎖末端が鎖末端のモル数に対して少なくとも７０ｍｏｌ％までアミン官能基で官能化されている変性ジエンエラストマー。
【請求項２】
部分加水分解または完全加水分解してシラノールを生成してもよい、第三級アミン官能基を有するアルコキシシラン基で鎖の中央において官能化され、そのケイ素原子が２つの鎖を結合し、鎖末端が少なくとも７０ｍｏｌ％までアミン官能基で官能化されている単位が、次式（Ｉ）に相当することを特徴とする、請求項１に記載の変性ジエンエラストマー。
【化１】
2016527372.tif 000001
式(I)
（式中、
−  記号Ｅは、鎖末端において少なくとも７０ｍｏｌ％までアミン官能基で官能化されたジエンエラストマーを表し、
−  Ｒ1は、加水分解度に応じて、水素原子または直鎖状もしくは分枝状Ｃ1−Ｃ10、好ましくはＣ1−Ｃ8のアルキル基、より好ましくはＣ1−Ｃ4アルキル基を表し、
−  Ｒ2は、飽和もしくは不飽和で環式もしくは非環式の２価Ｃ1−Ｃ18脂肪族炭化水素基またはＣ6−Ｃ18芳香族炭化水素基であり、
−  Ｒ3およびＲ4は同一かまたは異なり、直鎖状または分枝状Ｃ1−Ｃ18、好ましくはＣ1−Ｃ10、より好ましくはＣ1−Ｃ4アルキル基を表し、あるいはＲ3およびＲ4はそれらが結合しているＮと一緒になって、窒素原子と少なくとも１個の炭素原子、好ましくは２〜６個の炭素原子を含むヘテロ環を形成する）
【請求項３】
請求項１又は２に記載の変性ジエンエラストマーの調製方法であって、
−  アミン官能基を有する重合開始剤の存在下において、少なくとも１種の共役ジエンモノマーをアニオン重合する段階と、
−  前段階で得られた活性部位を有するリビングジエンエラストマーを、少なくとも１つの第三級アミン官能基および加水分解して、シラノールを生成しうるアルコキシシラン官能基を有するエラストマー鎖をカップリングすることができる官能化剤によって変性させる段階であって、官能化剤対重合開始剤のモル比が０．３５〜０．６５の値である段階とを含むことを特徴とする、調製方法。
【請求項４】
官能化剤が次式に相当することを特徴とする、請求項３に記載の調製方法。
【化２】
2016527372.tif 000002
式(II)
（式中、
−  Ｒ2は、飽和もしくは不飽和で環式もしくは非環式の２価Ｃ1−Ｃ18脂肪族炭化水素基またはＣ6−Ｃ18芳香族炭化水素基であり、
−  Ｒ3およびＲ4は同一かまたは異なり、直鎖状または分枝状Ｃ1−Ｃ18、好ましくはＣ1−Ｃ10、より好ましくはＣ1−Ｃ4アルキル基を表し、あるいはＲ3およびＲ4はそれらが結合しているＮと一緒になって、窒素原子と少なくとも１個の炭素原子、好ましくは２〜６個の炭素原子を含むヘテロ環を形成し、
−  直鎖状または分枝状Ｒ’基は互いに同一かまたは異なり、Ｃ1−Ｃ10、好ましくはＣ1−Ｃ8アルキル基、さらに好ましくはＣ1−Ｃ4アルキル基を表す）
【請求項５】
少なくとも１種の補強充填剤と請求項１又は２に記載の少なくとも１種の変性ジエンエラストマーを含むエラストマーマトリックスとをベースにする強化ゴム組成物。
【請求項６】
請求項５に記載の架橋可能なまたは架橋されたゴム組成物を含むことを特徴とするタイヤ用のゴムで作製された半完成品。
【請求項７】
請求項６に記載の半完成品を含むことを特徴とするタイヤ。
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
一つ以上の角変位がある三次元構成を持つ成形高分子材料であって、前記高分子材料が、マトリクスポリマーを含む連続相を含む熱可塑性組成物から形成され、さらにマイクロ包含添加剤およびナノ包含添加剤が前記連続相内に個別領域の形態で分散されており、多孔質ネットワークが前記材料に画定される成形高分子材料。
【請求項２】
前記角変位が約５°〜約２５０°の範囲である、請求項１に記載の成形高分子材料。
【請求項３】
前記三次元構成が複数の角変位を持つ、請求項１または２に記載の成形高分子材料。
【請求項４】
前記高分子材料が曲がっている、請求項１〜３のいずれか一項に記載の成形高分子材料。
【請求項５】
前記高分子材料がねじれている、請求項１〜３のいずれか一項に記載の成形高分子材料。
【請求項６】
前記材料が約０．１〜約１の曲げ保持指数および／またはねじり保持指数を示す、請求項１〜５のいずれか一項に記載の成形高分子材料。
【請求項７】
前記材料の平均細孔容量が、約１５％〜約８０％／ｃｍ３である、請求項１〜６のいずれか一項に記載の成形高分子材料。
【請求項８】
前記材料の密度が、約１．２ｇ／ｃｍ３以下である、請求項１〜７のいずれか一項に記載の成形高分子材料。
【請求項９】
前記材料の弾性係数が約２５００ＭＰａ以下である、請求項１〜５のいずれか一項に記載の成形高分子材料。
【請求項１０】
前記多孔質ネットワークが、約８００ナノメートル以下、および好ましくは約の平均断面寸法を持つ複数のナノ細孔を含む、請求項１〜５のいずれか一項に記載の成形高分子材料。
【請求項１１】
前記ナノ細孔が前記材料の合計細孔容量の約２０容量％以上を構成する、請求項１０に記載の成形高分子材料。
【請求項１２】
前記多孔質ネットワークがマイクロ細孔をさらに含む、請求項１０または１１に記載の成形高分子材料。
【請求項１３】
前記マイクロ細孔のアスペクト比が約１〜約３０である、請求項１２に記載の成形高分子材料。
【請求項１４】
前記連続相が、前記熱可塑性組成物の約６０重量％〜約９９重量％を構成する、および／または前記マイクロ包含添加剤が、前記連続相の重量に基づいて、前記組成物の約１重量％〜約３０重量％を構成する、および／または前記ナノ包含添加剤が、前記連続相の重量に基づいて、前記組成物の約０．０５重量％〜約２０重量％を構成する、請求項１〜１３のいずれか一項に記載の成形高分子材料。
【請求項１５】
前記マトリクスポリマーがポリエステルまたはポリオレフィンを含む、請求項１〜１４のいずれか一項に記載の成形高分子材料。
【請求項１６】
前記ポリエステルが約０℃以上のガラス転移温度を持つ、請求項１５に記載の成形高分子材料。
【請求項１７】
前記ポリエステルがポリ乳酸を含む、請求項１５または１６に記載の成形高分子材料。
【請求項１８】
前記マイクロ包含添加剤が高分子である、請求項１〜１７のいずれか一項に記載の成形高分子材料。
【請求項１９】
前記マイクロ包含添加剤がポリオレフィンを含む、請求項１８に記載の成形高分子材料。
【請求項２０】
前記ポリオレフィンが、プロピレンホモポリマー、プロピレン／α−オレフィン共重合体、エチレン／α−オレフィン共重合体、またはその組み合わせである、請求項１９に記載の成形高分子材料。
【請求項２１】
前記マイクロ包含添加剤の溶解パラメータに対する前記マトリクスポリマーの溶解パラメータの比率が約０．５〜約１．５、前記マイクロ包含添加剤のメルトフローレートに対する前記マトリクスポリマーのメルトフローレートの比率が約０．２〜約８、および／または前記マイクロ包含添加剤のヤング弾性係数に対する前記マトリクスポリマーのヤング弾性係数の比率が約１〜約２５０である、請求項１〜２０のいずれか一項に記載の成形高分子材料。
【請求項２２】
前記ナノ包含添加剤が高分子である、請求項１〜２１のいずれか一項に記載の成形高分子材料。
【請求項２３】
前記ナノ包含添加剤が官能性ポリオレフィンである、請求項２２に記載の成形高分子材料。
【請求項２４】
前記ナノ包含添加剤がポリエポキシドである、請求項２３に記載の成形高分子材料。
【請求項２５】
前記熱可塑性組成物が相間修飾剤をさらに含む、請求項１〜２４のいずれか一項に記載の成形高分子材料。
【請求項２６】
請求項１〜２５のいずれか一項に記載の前記高分子材料を含む環状部材。
【請求項２７】
マトリクスポリマーを含む連続相を含有する熱可塑性組成物から形成される高分子材料を成形するための方法であって、さらにマイクロ包含添加剤およびナノ包含添加剤が前記連続相内に個別領域の形態で分散されており、
前記方法が、前記高分子材料を、一つ以上の角変位を持つ三次元構成へと物理的に変形させる工程を含む方法。
【請求項２８】
前記材料が、物理的変形前に延伸されて、前記材料内に多孔質ネットワークを形成する、請求項２７に記載の方法。
【請求項２９】
前記高分子材料が曲げられるかまたはねじられている、請求項２７に記載の方法。
【請求項３０】
物理的変形が約０℃〜約５０℃の温度で起こる、請求項２７〜２９のいずれか一項に記載の方法。
【手続補正書】
【提出日】平成29年6月20日(2017.6.20)
【手続補正１】
【補正対象書類名】特許請求の範囲
【補正対象項目名】全文
【補正方法】変更
【補正の内容】
【特許請求の範囲】
【請求項１】
a)変性ジエンエラストマーの全質量に対して少なくとも55質量%の、式-SiOR(式中、Rは水素原子又は1から10個までの炭素原子を有するアルキル基である)の機能をもち、且つ補強充填剤と相互作用することができる他の機能をもっていてもよい官能基によってカップリングした物質であって、その基がシリコン原子を介してジエンエラストマーの2つの枝分れに結合されている前記物質、
b)変性ジエンエラストマーの全質量に対して5質量%から30質量%までの、補強充填剤と相互作用することができる機能をもった又はもっていない官能基に属する全く同一のシリコン原子に接続された3つのエラストマー枝分れをもつ星状枝分れ物質、
c)変性ジエンエラストマーの全質量に対して15質量%以下の含有量の、機能-Si(OR)2 (式中、Rは水素原子又は1から10個までの炭素原子を有するアルキル基である)をもち、且つ補強充填剤と相互作用することができる他の機能をもっていてもよい官能基によって鎖末端で官能基化された物質であって、その基がシリコン原子を介してジエンエラストマーに結合されている前記物質、及び
d)変性ジエンエラストマーの全質量に対して15質量%以下の含有量の非官能性ジエンエラストマー
から構成され、前記ジエンエラストマーa)、b)、c)及びd)が、変性前に、同じマクロ構造及び同じミクロ構造を有する、変性ジエンエラストマー。
【請求項２】
補強充填剤と相互作用することができる機能が、環状又は非環状の第一級、第二級又は第三級アミン、イソシアネート、イミン、シアノ、チオール、カルボキシレート、エポキシド又は第一級、第二級又は第三級ホスフィンより選ばれる機能であることを特徴とする、請求項1に記載のエラストマー。
【請求項３】
補強充填剤と相互作用することができる機能が、第三級アミン機能であることを特徴とする、請求項1又は2に記載のエラストマー。
【請求項４】
補強充填剤と相互作用することができる機能及びエラストマーに結合されたシリコン原子が、飽和又は不飽和の環状又は非環状の直鎖又は分枝鎖の二価のC1-C18脂肪族炭化水素基又は二価のC6-C18芳香族炭化水素基であると定義され且つ1つ以上の芳香族基及び/又は1つ以上のヘテロ原子を含むことができるスペーサ基を介して相互に結合されることを特徴とする、請求項1〜3のいずれか1項に記載のエラストマー。
【請求項５】
請求項1〜4のいずれか1項に記載のエラストマーの合成プロセスであって、全く同一の官能基化剤によって変性されている同じ性質で異なる組成を示す少なくとも2つのジエンエラストマーを混合する段階を含み、異なる組成のこれらのジエンエラストマーが、アニオン重合段階後、官能基化剤と重合開始剤とのモル比:
- カップリングした物質を形成するために、0.40から0.75まで、
- 星状枝分れ物質を形成するために、0.20から0.35まで、及び/又は
- 鎖末端で官能基化された物質を形成するために、少なくとも0.75
を変えつつ、変性段階を行うことによって得られ、官能基化剤が下記式1:
【化１】
2016527371.tif 000001
(式中、
- Rは、飽和又は不飽和の環状又は非環状の二価のC1-C18脂肪族炭化水素基又は二価のC6-C18芳香族炭化水素基であり、
- Xは、水素原子又は補強充填剤と相互作用することができる機能であり、
- R'基は、置換されているか又は置換されてなく、同じか又は異なり、C1-C10アルキル基を表す)に対応する、前記プロセス。
【請求項６】
少なくとも1つの補強充填剤及びエラストマーマトリックスをベースとする補強されたゴム組成物であって、エラストマーマトリックスが、請求項1〜5のいずれか1項に記載の少なくとも1つの変性ジエンエラストマーを含むことを特徴とする、前記補強されたゴム組成物。
【請求項７】
その構成要素の1つが、請求項6に記載の架橋可能な又は架橋されたゴム組成物を含むことを特徴とする、タイヤ。